(57)【特許請求の範囲】
【請求項１】
屋根の軒部に設けられた軒樋の端部に下方に傾斜する傾斜樋を接続し、傾斜樋の下端に集水枡を設け、傾斜樋に沿って流れ落ちた雨水を集水枡に集めてさらに他の方向に案内する雨樋構造において、上記集水枡の上部を開放するとともに、上記集水枡の内側には、上記傾斜樋の延長線上に、上記傾斜樋と上記集水枡とを接続するコーナー部において上記傾斜樋から流入した雨水の流れに干渉し、その水勢を弱めて整流する水整流部材を設け、
上記水整流部材は下方に垂れ下がる垂下部を備え、上記垂下部の下端と上記集水枡の底部との間に隙間を形成したことを特徴とする雨樋構造。
【請求項２】
上記水整流部材は、上記傾斜樋の延長線上に垂直に配置された複数の棒状体によって構成されていることを特徴とする、請求項１に記載の雨樋構造。
【請求項３】
上記水整流部材は、上記傾斜樋の先端上部に固定された取付板から逆Ｌ字形に突出した複数の棒状体によって構成されていることを特徴とする、請求項１又は２に記載の雨樋構造。
【請求項４】
上記集水枡は水平に配置されていることを特徴とする、請求項１〜３のいずれかに記載の雨樋構造。
【発明の詳細な説明】
【技術分野】
【０００１】
本発明は、住宅、カーポート、テラス等の屋根部の軒先から流れ落ちてきた雨水の水勢を緩和して下流側に流す雨樋構造に関する。
【背景技術】
【０００２】
一般に、住宅、カーポート、テラス等の屋根部には雨樋が設けられている。すなわち、軒先には水平の軒樋が設けられ、軒樋は屋根部の端部で別の傾斜した傾斜樋に接続し、さらに傾斜樋は支柱に沿って設けられた竪樋に接続している。
【０００３】
ところで、屋根の外側に支柱が設けられているような場合は、全体の外観が損なわれないように、また屋根に落ちた落葉やゴミなどが落ちにくいように、傾斜樋を屋根の下部に配置し、傾斜樋の下端と支柱に添う竪樋の上端とを集水枡を介して連結し、しかも傾斜樋に沿って流れ落ちた雨水がその水勢を保ったまま水平樋から竪樋に流れ込まないように、傾斜樋と集水枡とを直角に（直角でなくてもよい）屈曲させ、傾斜樋を流下した雨水の勢いをいったん水平の集水枡で受けて弱めた後、竪樋に流し落とすという雨樋構造が知られている（特許文献１参照）。傾斜樋の下端部には網状板が設けられ、この網状板で雨水の勢いを和らげ、さらに傾斜樋から流れ落ちた雨水が集水枡の壁にぶつかったときに、雨水が集水枡の上端を飛び越えて飛散しないように、傾斜樋と集水枡とのコーナー部の上部には飛散防止蓋が設けられている。
【先行技術文献】
【特許文献】
【０００４】
【特許文献１】特開２００８−２１４５号公報
【発明の概要】
【発明が解決しようとする課題】
【０００５】
しかしながら、雨樋は屋根に落ちた落葉やゴミなどが溜まりやすい部分なので、網状板は目詰まりしやすく、コーナー部に限定されているといえども、蓋があると、落葉やゴミを除去しにくいという問題がある。
【０００６】
本発明は上記問題点を解消し、傾斜樋を流下した雨水の勢いをいったん集水枡で受ける構成を採用した場合でも、目詰まりしにくく、落葉やゴミの除去も容易に行うことができる雨樋構造を提供することをその課題とする。
【課題を解決するための手段】
【０００７】
【０００８】
上記課題を解決するため、請求項１に係る発明は、屋根の軒部に設けられた軒樋の端部に下方に傾斜する傾斜樋を接続し、傾斜樋の下端に集水枡を設け、傾斜樋に沿って流れ落ちた雨水を集水枡に集めてさらに他の方向に案内する雨樋構造において、上記集水枡の上部を開放するとともに、上記集水枡の内側には、上記傾斜樋の延長線上に、上記傾斜樋と上記集水枡とを接続するコーナー部において上記傾斜樋から流入した雨水の流れに干渉し、その水勢を弱めて整流する水整流部材を設け、上記水整流部材は下方に垂れ下がる垂下部を備え、上記垂下部の下端と上記集水枡の底部との間に隙間を形成したことを特徴とする。
【０００９】
請求項２に係る発明は、請求項１において、上記水整流部材は、上記傾斜樋の延長線上に垂直に配置された複数の棒状体によって構成されていることを特徴とする。
【００１０】
請求項３に係る発明は、請求項１又は２において、上記水整流部材は、上記傾斜樋の先端に固定された取付板から延出して上記傾斜樋の延長線上に配置された複数の棒状体によって構成されていることを特徴とする。
【００１１】
請求項４に係る発明は、請求項１〜３のいずれかにおいて、上記集水枡は水平に配置されていることを特徴とする。
【発明の効果】
【００１２】
【００１３】
請求項１に係る発明に係る雨樋構造によれば、集水枡の上部を開放するとともに、上記集水枡の内側には、上記傾斜樋の延長線上に、上記傾斜樋から流入した雨水の流れに干渉し、その水勢を弱めて整流する水整流部材を設けたから、傾斜樋を伝って流れてきた雨水は、傾斜樋の先端から集水枡に流入したときに、水整流部材の棒状体による干渉を受け、雨水の水勢が弱められるので、水整流部材は雨水の流れを整流化し、雨水が集水枡の側壁に当たっても集水枡から溢れ出して飛散するのを有効に防止することができる。
【００１４】
また、集水枡の上部は開放されているから、落ち葉やゴミなどが入り込んでも、簡単に除去作業ができる。
【００１５】
請求項２に係る発明によれば、水整流部材は、上記傾斜樋の延長線上に垂直に配置された複数の棒状体によって構成されているから、雨水の水勢を直接に弱められるとともに、雨水は速やかに棒状体に沿って集水枡の底部に流れ落ちていくようにガイドされる。したがって、集水枡内の雨水を速やかに整流して安定させることができる。
【００１６】
さらに、水整流部材の棒状体は傾斜樋の延長線上に垂直に配置されているので、雨水の勢いを弱めるだけでなく、落ち葉やゴミが引っかかりにくい。
【００１７】
請求項３に係る発明によれば、水整流部材は、上記傾斜樋の先端に固定された取付板から延出して上記傾斜樋の延長線上に配置された複数の棒状体によって構成されているから、特に集水枡が鋳物のように簡単にネジ止めできないような素材によって構成されている場合には、簡単な構造で、容易に樋に取り付けることができる水整流部材を得ることができる。
【００１８】
請求項４に係る発明によれば、集水枡は略水平に配置されているから、傾斜樋から流れてきた雨水を集水枡で安定させることができる。
【図面の簡単な説明】
【００１９】
【図１】本発明に係る大型屋根構造体の斜視図
【図２】上記大型屋根構造体の要部の拡大図
【図３】（ａ）（ｂ）は軒樋の取付態様説明図
【図４】アーチに対する取付金具の取付態様を示す斜視図
【図５】雨樋部分の分解斜視図
【図６】水整流部材の斜視図
【図７】水整流部材の作用を示す概要図
【発明を実施するための形態】
【００２０】
図１に大型屋根構造体の斜視図を示す。この大型屋根構造体は、設置スペースの間口部１を基準として左右１対の中空の金属製支柱２、２が前後に配置されている。左右の支柱２、２の上部には中空の金属製梁３が設けられている。前後の梁３は平行で、梁３の両端はブラケット（（図２参照）を介して支柱２の上端に連結され、これにより門形の屋根支持部材が構成されている。なお、設置スペースとしては、自動車２、３台分の駐車スペースや、あるいは自動車１台分と玄関アプローチ、さらにはテラス部分も含むような大きなスペースが想定されている。
【００２１】
前後の梁３には複数の吊具１０が取り付けられ、吊具１０に屋根体Ａが吊り下げ支持されている。屋根体Ａは前後枠１１、１２と左右の両側枠１３とを方形に組んでなる屋根枠１４と、前後枠１１、１２に平行に架け渡されたアーチ１５と、屋根枠１４とアーチ１５との間の空間部内に固定された屋根パネル１６とから構成されている。梁３の吊具１０にはアーチ１５が固定され、これにより屋根体Ａが吊り下げ支持されている。
【００２２】
上記大型屋根構造体の端部には雨樋Ｂが設けられている。雨樋Ｂは図２に示されるように、軒樋１７と、軒樋１７の端部に連結された傾斜樋１８と、竪樋１９と、傾斜樋１８と竪樋１９との間に配設された集水枡２０とから構成されている。
【００２３】
軒樋１７は屋根体Ａの軒部に設けた前枠１１とに一体に設けられ、屋根パネル１６の表面を伝い、その先端から流れてくる雨水を受けられるように構成されている。軒樋１７は図３（ａ）に示されるように、断面が下方に湾曲した樋部２１の外側縁を折り返して水返し縁２２を形成し、内側縁を起立させて起立縁２３を形成するとともに、起立縁２３側の端部から取付縁２４を垂直に形成し、取付縁２４の上端近傍から外側にＬ字形の係合縁２５を突出形成したもので、その端部には、排水孔２６（図５参照）が形成されている。軒樋１７は屋根体Ａのアーチ１５の前端にネジ止め固定された取付金具２７を介して取り付けられている。図４に示されるように、取付金具２７は短尺の部材で、平板部２８の前端から固定部２９を折り曲げし、さらに固定部２９の前端から下方に向けて前板部３０を折り曲げするとともに、前板部３０の下端を上記固定部２９と平行になるように後方に折り曲げて係合部３１を形成した、全体が断面略Ｊ字形の部材で、固定部２９はネジ３２でアーチ１５の先端に固定されている。
【００２４】
次に、図３（ａ）に示すように、軒樋１７の取付縁２４の上部の係合縁２５の端部を取付金具２７の係合部３１に係合させ、この係合部３１を中心に軒樋１７を後方に回転させて、同図（ｂ）のように、取付縁２４の上端を取付金具２７の固定部２９の裏面に当接させることにより取り付けられている。なお、軒樋１７の両端にはキャップ３３（図２参照）が固定されている。
【００２５】
図２及び図５に示されるように、軒樋１７の排水孔２６の下部には受け金具３４がシール材３９とともに固定され、受け金具３４には傾斜樋１８の上端部が固定されている。傾斜樋１８は屋根体Ａの側部下方に配置されている。傾斜樋１８の上端部は軒樋１７の排水孔２６の下方に配置されている。軒樋１７と同様に、傾斜樋１８の上部も開放されているが、傾斜樋１８は落ち葉やゴミが入りにくいように、屋根体Ａの端部下方に配置されている。
【００２６】
竪樋１９は円筒状の部材で、支柱２に固定された竪樋受け３５とその前部に着脱可能に取り付けられた竪樋カバー３６との間の空間に配置されている。竪樋１９の上端にはガイド筒３７が設けられている。竪樋１９の上部には集水枡２０が配置され、集水枡２０の上部には化粧樋受け３５ａと化粧樋カバー３６ａが取り付けられ、その上端にはキャップ３８が取り付けられている。竪樋１９の下端部にはガイド筒３７を介して下カバー４０が配置され、下カバー４０は竪樋受け３５に固定されている。
【００２７】
集水枡２０は、傾斜樋１８からの雨水を竪樋１９に案内する部材で、上部が開放したＵ溝状の樋本体４１の一端を略直角に屈曲させて連結溝４２を形成し、他端は端壁４３によって閉鎖し、その溝底のガイド筒３７の上部には排水孔（図示せず）を形成したものである。連結溝４２は樋本体４１の深さよりも浅く、傾斜樋１８の高さと略同じになるように形成されている。樋本体４１の幅は、傾斜樋１８に比べて幅広に形成されている。そして、集水枡２０は竪樋受け３５の上端に水平に載置され、側壁４４を貫通したネジ４５によって支柱２に固定されている。屈曲した連結溝４２の内側には傾斜樋１８の下端部１８ａが嵌め合わせられ、集水枡２０の側壁を貫通したネジ４６で固定されている。これにより、樋本体４１の連結溝４２に続く部分は、傾斜樋１８と集水枡２０とを接続するコーナー部４８を構成している。また、集水枡２０の排水孔はガイド筒を介して竪樋１９に接続している。
【００２８】
なお、軒樋１７、傾斜樋１８、竪樋１９がアルミニウム又はその合金等の金属の型材から構成されているのに対し、集水枡２０は型材からは成形しにくいので、アルミニウムの鋳物で構成されている。また、軒樋１７、傾斜樋１８及び集水枡２０はいずれも落ち葉やゴミを除去しやすいように、上部が開放されている。
【００２９】
上記樋構造によれば、屋根体Ａの上面に沿って流れ落ちた雨水はまず軒樋１７に落ち、軒樋１７に沿って流れて端部の排水孔２６から傾斜樋１８を伝って流れ落ちる。傾斜樋１８は傾斜しているから、流入した雨水の流れは加速され、水勢を増しながら流れ落ちていく。そして、勢いを保持したまま集水枡２０の下端部から真っ直ぐに進んで集水枡２０のコーナー部４８の側壁４４に当り、方向を直角に転換して排水孔側に流れ、さらに竪樋１９を通って排出される。したがって、雨量が多いときなどには、傾斜樋１８に沿って流れた雨水が激しくコーナー部４８に流れ落ち、コーナー部４８の側壁４４に当たって乱流となり、その一部は側壁４４を越えて集水枡２０の外側に飛散して落下する。そこで、このような不都合を防止するため、上記雨樋Ｂには、傾斜樋１８と集水枡２０とを接続するコーナー部４８の内側に、上記傾斜樋１８に沿って流れ落ちた雨水を受けてその水勢を弱める水整流部材５０が設けられている。
【００３０】
水整流部材５０は、図６に示されるように、取付板５２と取付板５２から突出形成された逆Ｌ字形の平行な２本の棒状体５３とによって構成されている。棒状体５３は取付板５２から突出した延出部５３ａと延出部５３ａの先端から垂直に下がった垂下部５３ｂとからなる。取付板５２は傾斜樋１８の先端上部に固定され、棒状体５３の垂下部５３ｂは上記コーナー部４８の、傾斜樋１８の延長線上に配置されている。垂下部５３ｂの下端と樋本体４１の底部との間には隙間が形成されるように配置されている。
【００３１】
上記構成によれば、傾斜樋１８を伝って流れてきた雨水は、傾斜樋１８の先端から集水枡２０のコーナー部４８に流入したときに、図７に示されるように、水整流部材５１の棒状体５３による干渉を受け、雨水の水勢が弱められるとともに、速やかに棒状体５３に沿って樋本体４１の底部に流れ落ちていくようにガイドされる。このように、棒状体５３は雨水の流れを整流化し、雨水がコーナー部４８の側壁に当たっても集水枡２０から溢れ出して飛散するのを有効に防止することができる。
【００３２】
同様に、集水枡２０は略水平に配置されているから、傾斜樋１８から流れてきた雨水を集水枡２０で安定させることができる。ただし、集水枡２０は少し傾斜していてもよい。
【００３３】
また、集水枡２０の上部は開放されているから、落ち葉などが入り込んでも、簡単に除去作業ができる。
【００３４】
さらに、水整流部材５０の棒状体５３は細長の形状で、延出部５３ａは傾斜樋１８と同じ勾配で形成され、垂下部５３ｂは下方に形成されているので、落ち葉やゴミが引っかかりにくく、また棒状体５３の垂下部５３ｂの下端と樋本体４１の底部との間には隙間が形成され、ゴミなどは雨水の流れにのって隙間から下流側に移動していくため、垂下部５３ｂのまわりにゴミがたまることはない。
【００３５】
なお、水整流部材５０の棒状体５３は２本以上でもよい。棒状体５３は垂直に配置されている必要もない。水整流部材５０の形状も棒状である必要はないが、落ち葉やゴミが引っかかりにくいか、引っかかっても外れやすい形状であるのが好ましい。さらに、水整流部材５０は傾斜樋１８に固定されることに限定されない。集水枡２０のコーナー部４８に一体に形成してもよい。
【００３６】
集水枡２０には蓋を設けてもよい。蓋は簡単に開閉できる構成のものが望ましい。
【００３７】
さらに、上記雨樋は必ずしも大型屋根構造体に限定されない。通常の住宅の屋根、テラスやカーポート等の屋根に適用することもできる。
【符号の説明】
【００３８】
Ａ      屋根体
Ｂ      雨樋
１７    軒樋
１８    傾斜樋
１９    竪樋
２０    集水枡
４８    コーナー部
５０    水整流部材
５２    取付板
５３    棒状体
５３ａ  延出部
５３ｂ  垂下部
【図１】
0006002944.tif 000002
【図２】
0006002944.tif 000003
【図３】
0006002944.tif 000004
【図４】
0006002944.tif 000005
【図５】
0006002944.tif 000006
【図６】
0006002944.tif 000007
【図７】
0006002944.tif 000008